(57)【要約】【課題】設置されたところの環境になじみやすい擁壁ブロック、この擁壁ブロックを有する擁壁用パーツ及びこの擁壁用パーツを用いた擁壁の施工方法を提供することを目的とする。【解決手段】横方向に並べると共に積み重ねて擁壁を形成する擁壁ブロック１０であって、擁壁を形成したときに上に位置する擁壁ブロックに当接して支える支持部１６を本体部１１の上面１２に突設し、上に位置する擁壁ブロックの本体部１１の底面１３と下に位置する擁壁ブロックの本体部１１の上面１２との間にできる隙間が支持部１６の周りを囲むようにできることを特徴とする擁壁ブロック。【選択図】図１
2011047190.tif 000002
【特許請求の範囲】
【請求項１】
横方向に並べると共に積み重ねて擁壁を形成する擁壁ブロックであって、
擁壁を形成したときに上に位置する擁壁ブロックに当接して支える支持部を本体部の上面に突設し、
上に位置する擁壁ブロックの本体部の底面と下に位置する擁壁ブロックの本体部の上面との間にできる隙間が前記支持部の周りを囲むようにできることを特徴とする擁壁ブロック。
【請求項２】
擁壁を形成したときに横方向に隣り合うもの同士は互いの間に植物を繁茂させ又は水棲生物を生息させるための空間をおいて連結されている請求項１記載の擁壁ブロック。
【請求項３】
上部に係合突起を備え、本体部の底面に係合突起が嵌合する係合凹部が凹設され、棒鋼により前記連結が行われ、擁壁を形成したときに前記擁壁ブロックは互いに外力により破断を伴わない相対変位が可能になっている請求項２記載の擁壁ブロック。
【請求項４】
前記支持部の少なくとも一部が前記係合突起となっている請求項３記載の擁壁ブロック。
【請求項５】
請求項１〜４のいずれか一項に記載の擁壁ブロックを二個以上有し、前記擁壁ブロックを隣り合うもの同士の間に間隔をおいて連結していることを特徴とする擁壁用パーツ。
【請求項６】
請求項５記載の擁壁用パーツを用い、積み重ねたときに上に位置する擁壁用パーツの少なくとも一部は、下に位置する隣り合う擁壁用パーツ同士の間を跨ぐようにして配置することを特徴とする擁壁の施工方法。
【発明の詳細な説明】
【技術分野】
【０００１】
本発明は、河川などの擁壁に用いられる擁壁ブロック、この擁壁ブロックを有する擁壁用パーツ及びこの擁壁用パーツを用いた擁壁の施工方法に関するものである。
【背景技術】
【０００２】
今日、鉄線（直径５ｍｍ）で編んだ網状のふとんかご（厚さ約４０ｃｍ×控え長さ１００ｃｍ〜１２０ｃｍ×長さ２００ｃｍ）は、中に石が詰められた状態で、階段状に積み上げられて法面保護や土留め用などに使用されている。そして、このようなふとんかごは、災害復旧の工事や斜面崩壊を防止する小さな擁壁として、経済的な理由で採用されることが多くなっている。しかしながら、このようなふとんかごには、鉄線が用いられているため、錆びやすく、形状も整ったものではないことから景観上好ましくなかった。その上、最近では、中に詰められる玉石が高価になり、入手できないことが多くなったため、割栗石が代用されているが、外部から割栗石が見えることで、さらに景観上好ましくなくなっている。
【０００３】
また、ふとんかごの中には、鉄線を亜鉛などの様々な金属により被覆することで耐食性を高め、経年劣化をしにくくすると共に、特許文献１記載のように、各辺を棒鋼や山形鋼などの鋼材で形成することで剛性を持たせ形状を整えた、いわゆる特殊（大型）ふとんかごがある。このような特殊ふとんかごは、中に割栗石や玉石が詰められた状態で、重力式のような形状で形成される擁壁などとして使用されている。
【０００４】
一方、河川などの水際の護岸用としては、上記ふとんかご（特殊ふとんかごを含む）を積み上げた擁壁の他に、自然環境との調和を考慮して、いわゆる環境ブロックにより構成された擁壁がある。そして、この環境ブロックとしては、特許文献２記載のように、天然石又は擬石に係着部などを設けたものや、特許文献３記載のように、表面に天然石などを露出させた擬似ブロックや、特許文献４記載のように、大型のブロックに内空間とこの内空間に繋がる開口とを設けたものなどがある。
【０００５】
しかしながら、擬似ブロックなどを用いた擁壁は、見た目は自然の環境に近いものになっているものの、擁壁表面により水域と陸上とが仕切られ、それが水中まで一つの面として続いていることから、水棲生物が産卵育成する場所を確保することが難しいものとなっていた。
【０００６】
また、内空間とこの内空間に繋がる開口とを設けた大型のブロックは、この内空間が水棲生物の産卵育成する場所にはなるものの、内空間への水の循環が悪いため、水が淀む季節などにはブロック内でボウフラなどの繁殖が促される。また、大雨などで河川が増水すると砂礫や土砂などがブロック内に堆積して、内空間の機能が果たせなくなっていた。さらに、コンクリート面が連続していることから、水辺ではコンクリート面が目立ち景観上好ましくなかった。
【先行技術文献】
【特許文献】
【０００７】
【特許文献１】特開平６−１１６９１９号公報
【特許文献２】特開平１１−３１０９１３号公報
【特許文献３】特開平９−３９３７号公報
【特許文献４】特開平８−２８４１３０号公報
【発明の概要】
【発明が解決しようとする課題】
【０００８】
そこで、本発明は、設置されたところの環境になじみやすい擁壁を形成する擁壁ブロック、この擁壁ブロックを有する擁壁用パーツ及びこの擁壁用パーツを用いた擁壁の施工方法を提供することを目的とする。
【課題を解決するための手段】
【０００９】
上記課題を解決するために、本発明の擁壁ブロックは、横方向に並べると共に積み重ねて擁壁を形成する擁壁ブロックであって、擁壁を形成したときに上に位置する擁壁ブロックに当接して支える支持部を本体部の上面に突設し、上に位置する擁壁ブロックの本体部の底面と下に位置する擁壁ブロックの本体部の上面との間にできる隙間が前記支持部の周りを囲むようにできることを特徴とする。
【００１０】
上記課題を解決するために、本発明の擁壁用パーツは、上記擁壁ブロックを二個以上有し、前記擁壁ブロックを隣り合うもの同士の間に間隔をおいて連結していることを特徴とする。
【００１１】
上記課題を解決するために、本発明の擁壁の施工方法は、上記擁壁用パーツを用い、積み重ねたときに上に位置する擁壁用パーツの少なくとも一部は、下に位置する隣り合う擁壁用パーツ同士の間を跨ぐようにして配置することを特徴とする。
【００１２】
本発明ではないものの、参考発明の擁壁ブロックは、横方向に並べると共に積み重ねて擁壁を形成する擁壁ブロックであって、擁壁を形成したときに上に位置する擁壁ブロックに当接して支える支持部を本体部の上面に突設し、上部に係合突起を備え、本体部の底面に係合突起が嵌合する係合凹部が凹設され、擁壁を形成したときに擁壁の壁面部に勾配ができるよう、平面視における前記係合突起の中心位置と前記係合凹部の中心位置とがずれていることを特徴とする。
【００１３】
また、別の参考発明の擁壁ブロックは、横方向に並べると共に積み重ねて擁壁を形成する擁壁ブロックであって、擁壁を形成したときに上に位置する擁壁ブロックに当接して支える支持部を本体部の上面に突設し、擁壁を形成したときに擁壁の壁面部が水平方向に湾曲するよう、壁面部の表側になる面と裏側になる面との幅が異なることを特徴とする。
【００１４】
そして、これら参考発明の擁壁ブロックも、本発明の擁壁ブロックと同じように、二個以上の擁壁ブロックを有し、隣り合うもの同士の間に間隔をおいて連結していることを特徴とする擁壁用パーツに用いることができる。
【００１５】
ここで、本発明における各要素の態様を以下に例示する。
【００１６】
１．擁壁ブロック
擁壁ブロックは、積み重ねたときに上に位置する擁壁ブロックの本体部の底面と下に位置する擁壁ブロックの本体部の上面との間に隙間ができ、この隙間が上に位置する擁壁ブロックの本体部の底面と下に位置する擁壁ブロックの本体部の上面との間の上下空間となる。
擁壁ブロックの態様としては、特に限定はされないが、動植物の自然循環が起きやすくなることから、擁壁を形成したときに横方向に隣り合うもの同士は互いの間に植物を繁茂させ又は水棲生物を生息させるための空間をおいて連結されていることが好ましい。この横方向に隣り合うもの同士の間の空間には、擁壁を形成したときに、擁壁の正面から見て、左右方向に隣り合う擁壁ブロックの左に位置する擁壁ブロックの本体部の右側面と右に位置する擁壁ブロックの本体部の左側面との間の左右空間と、擁壁の正面から見て、前後方向に隣り合う擁壁ブロックの前に位置する擁壁ブロックの本体部の後側面と後に位置する擁壁ブロックの本体部の前側面との間の前後空間とがある。
また、上下に積まれた擁壁ブロック同士の水平方向への相対的位置ずれが起こりにくくなることから、上部に係合突起を備え、本体部の底面に係合突起が嵌合する係合凹部が凹設されていることが好ましい。さらに、擁壁を形成したときに互いに外力により破断を伴わない相対変位が可能になることから、隣り合うもの同士は棒鋼で連結されていることがより好ましい。
擁壁を形成したときに擁壁の壁面部に勾配ができるよう、平面視における係合突起の中心位置と係合凹部の中心位置とがずれていることが好ましい。
擁壁用ブロックの位置ずれが起こりにくくなることから、擁壁を形成したときに擁壁の壁面部の背後に充填される砕石中に埋没して拘束される拘束部を備えることが好ましい。
擁壁ブロックの本体部の形状としては、特に限定はされないが、角柱状、円柱状、角錐台状、円錐台状などが例示できる。
水平方向に湾曲している地形にも擁壁を形成することができることから、擁壁を形成したときに擁壁の壁面部が水平方向に湾曲するよう、壁面部の表側になる本体部の面と裏側になる本体部の面との幅が異なることが好ましい。
設置された場合に、太陽光などの光の反射が少なくなることから、擁壁ブロックの本体部の側面には割石模様などのレリーフが施されていることが好ましい。
擁壁ブロックの本体部の大きさとしては、特に限定はされないが、２４０〜３５０ｍｍであることが好ましい。また、高さとしては、特に限定はされないが、１５０〜２２０ｍｍであることが好ましい。
擁壁を形成したときに横方向に隣り合うもの同士の互いの間にある、植物を繁茂させ又は水棲生物を生息させるための空間、即ち、左右空間及び前後空間の幅（隣り合うもの同士の間隔）としては、特に限定はされないが、３０〜５０ｍｍであることが好ましい。
擁壁ブロックの材質としては、特に限定はされないが、耐候性及び加工性に優れることからコンクリートであることが好ましい。
支持部の態様としては、特に限定はされないが、少なくとも一部が係合突起となっている態様が好ましい。
係合突起の形状としては、特に限定はされないが、角柱状、円柱状、角錐台状、円錐台状、半球状などが例示できる。また、係合突起の高さとしては、特に限定はされないが、５０〜１００ｍｍであることが好ましい。
係合凹部の形状としては、特に限定はされないが、係合突起の形状に対応できるよう略同じ形状であることが好ましい。また、係合突起の上面が、上に位置する擁壁ブロックに当接して支える支持面である場合には、係合凹部の底面は係合突起の上面と面接触できるような面であることが好ましい。また、係合凹部の深さとしては、特に限定はされないが、５０〜１００ｍｍであることが好ましい。
積み重ねたときにできる、上に位置する擁壁ブロックの本体部の底面とその下に位置する擁壁ブロックの本体部の上面との間の隙間、即ち、上下空間の高さとしては、特に限定はされないが、１０〜３０ｍｍであることが好ましい。
拘束部の態様としては、特に限定はされないが、擁壁を形成したときに擁壁の壁面部の裏側になる本体部の面から突出した棒状部と棒状部の先端付近に形成された埋没体とを有する態様が例示できる。
【００１７】
２．擁壁用パーツ
一つの擁壁用パーツが有する擁壁ブロックの個数としては、特に限定はされないが、３０個以下であることが好ましい。３０個を超えると擁壁用パーツは重く且つ大きくなるため取扱がしにくくなる。
擁壁用パーツ中での擁壁ブロックの並びとしては、特に限定はされないが、擁壁ブロックに左右空間又は前後空間のどちらかのみができるよう一列に並んでいてもよいし、擁壁ブロックに左右空間及び前後空間の両方ができるよう互いに平行な複数の列となるように並んでいてもよい。
上下に積んだときに擁壁ブロックを容易に積み重ねることができり、隣り合う擁壁用パーツ同士の位置、即ち、擁壁ブロックが隣の擁壁ブロックと連結されていないところを、積み重ねられた段毎に変えることができることから、隣り合う擁壁ブロック同士の間隔は一定であることが好ましい。
擁壁用パーツ中での擁壁ブロックの並びが互いに平行な複数の列となる場合には、より少ない数の擁壁ブロックで擁壁を形成することができることから、擁壁ブロックが抜けている欠失箇所を有することが好ましい。
擁壁ブロック同士の間の間隔としては、特に限定はされないが、３０〜５０ｍｍであることが好ましい。
ブロックを連結するための部材としては、特に限定はされないが、可撓性、強度及び耐食性に優れることから、アルミニウム、亜鉛、ニッケル又はそれらの合金で表面が被覆された棒鋼、ステンレス製の棒鋼などが好ましい。
これらの棒鋼の太さとしては、特に限定はされないが、５〜９ｍｍであることが好ましい。
【００１８】
３．擁壁
擁壁の形状としては、特に限定はされないが、擁壁用パーツを積み重ねて成形される擁壁の壁面部が上方になるほど斜面側に寄る階段状であることが好ましい。
また、擁壁の高さとしては、特に限定はされないが、水辺や河川などの擁壁の場合には、１〜３ｍであることが好ましい。
【発明の効果】
【００１９】
本発明によれば、設置されたところの環境になじみやすい擁壁を形成することができる。
【図面の簡単な説明】
【００２０】
【図１】本発明の実施例１の擁壁ブロックの斜視図である。
【図２】同擁壁ブロックの断面図である。
【図３】本発明の実施例１の擁壁ブロック及びそれを連結した擁壁用パーツの平面図である。
【図４】同擁壁用パーツを用いた護岸用擁壁の断面図及び１段目の一部の擁壁用パーツの平面図である。
【図５】同護岸用擁壁の天端部付近の断面図及び平面図である。
【図６】同護岸用擁壁の側端部付近の平面図である。
【図７】同擁壁用パーツを用いた法面保護用擁壁の断面図である。
【図８】同擁壁用パーツを用いた擁壁の一部の斜視図である。
【図９】同擁壁用パーツにより囲まれた空間に中詰め材を充填した擁壁の壁面部と控部との１段目から５段目までの斜視図である。
【図１０】同擁壁の１段目から５段目までの擁壁用パーツの並びを示す平面模式図である。
【図１１】同擁壁に繋ぎ擁壁用パーツを用いたときの擁壁の一部の斜視図である。
【図１２】本発明の実施例１の擁壁ブロックを連結した擁壁用パーツにより囲まれた空間に中詰め材を充填した擁壁の断面図及び１段目の擁壁用パーツの並びを示す平面模式図である。
【図１３】同擁壁用パーツにより囲まれた空間に中詰め材を充填した別の擁壁の断面図及び１段目の一部の擁壁用パーツの並びを示す平面模式図である。
【図１４】同擁壁用パーツにより囲まれた空間に中詰め材を充填したまた別の擁壁の一部の斜視図である。
【図１５】本発明の実施例２の擁壁ブロックの斜視図及び断面図である。
【図１６】本発明の実施例２の別の擁壁ブロックの正面図及び平面図である。
【図１７】本発明の実施例３の擁壁用パーツの平面図である。
【図１８】本発明の実施例３の別の擁壁用パーツの平面図である。
【図１９】同擁壁用パーツを用いた擁壁の壁面部の一部の斜視図及び１段目と２段目の擁壁用パーツの平面図である。
【図２０】本発明の実施例３のまた別の擁壁用パーツの平面図である。
【図２１】同擁壁用パーツを用いた擁壁の壁面部の一部の斜視図及び１段目の擁壁用パーツの平面図である。
【図２２】同擁壁用パーツを用いた擁壁の壁面部の一部の斜視図である。
【図２３】本発明の実施例３のさらに別の擁壁用パーツの平面図及び斜視図である。
【図２４】本発明の実施例３のさらに別の擁壁用パーツの平面図及び斜視図である。
【図２５】擁壁ブロック８０の斜視図及び断面図である。
【図２６】擁壁ブロック１００の斜視図及び側面図である。
【図２７】同擁壁ブロックを用いた擁壁の断面図及び１段目の擁壁ブロックの平面図である。
【発明を実施するための形態】
【実施例１】
【００２１】
本発明の実施例１の擁壁ブロック１０及び擁壁ブロック１０を連結した擁壁用パーツ２０について、図１〜図１４を用いて説明する。
【００２２】
図１、図２に示すように、擁壁ブロック１０は、正四角柱状の本体部１１と、本体部１１の上面１２の略中央に突設された正四角錐台状の係合突起１６とからなるコンクリート製のブロック（重さが約２０Ｋｇ）である。
【００２３】
本体部１１の寸法は、一辺が２４３ｍｍで、高さが１５０ｍｍである。そして、本体部１１は、その上面１２の中央部にレリーフが形成され、側面１５の全体に割石模様のレリーフが形成され、底面１３の略中央に係合凹部１４が正四角錐台状に凹設されている。係合凹部１４は、係合突起１６が余裕をもって嵌合できるよう、開口の一辺が１３２ｍｍ、底面１９の一辺が９５ｍｍ、深さが５０ｍｍとなっている。
【００２４】
係合突起１６は、底辺が１１２ｍｍ、上辺が７５ｍｍ、上面１２からの高さが７０ｍｍとなっている。そして、係合突起１６の上面１８の中央部にレリーフが形成され、係合突起１６の側面１７の全体に割石模様のレリーフが形成されている。
【００２５】
そして、擁壁ブロック１０を積み重ねたときには、下に位置する擁壁ブロック１０の係合突起１６は、上に位置する擁壁ブロック１０の係合凹部１４に嵌合するようになっている。また、下に位置する擁壁ブロック１０の係合突起１６の上面１８が、上に位置する擁壁ブロック１０の係合凹部１４の底面１９に当接して上に位置する擁壁ブロック１０を支える支持面となっていることから、係合突起１６は支持部になっている。そして、下に位置する擁壁ブロック１０の上面１２と上に位置する擁壁ブロック１０の底面１３との間に２０ｍｍの隙間が係合突起１６の周りを囲むようにできている。また、擁壁ブロック１０を連結する場合には、側面１５の中央付近に棒鋼２１が嵌入されている。
【００２６】
図３に示すように、本実施例の擁壁用パーツ２０は、２〜６個の擁壁ブロック１０を略直線状に並べて連結した５種類のものである。隣り合う擁壁ブロック１０同士は、中心間距離を２９３ｍｍにして、直径が５．５ｍｍのステンレス製の異型棒鋼２１で連結されており、隣り合う擁壁ブロック１０同士の間隔は、５０ｍｍになっている。
【００２７】
本実施例の擁壁ブロック１０と５種類の擁壁用パーツ２０とを用いた護岸用の擁壁３０について、図４〜図６を用いて説明する。なお、擁壁３０の説明においては、擁壁用パーツ２０には、本実施例の５種類の擁壁用パーツ２０と本実施例の擁壁ブロック１０とが含まれ、擁壁ブロック１０には、本実施例の擁壁ブロック１０と本実施例の擁壁用パーツ２０中の擁壁ブロック１０とが含まれている。
【００２８】
図４に示すように、擁壁３０は、川底２５から岸２６へと繋がる斜面２７に沿って、擁壁用パーツ２０を積み重ねて階段状になっている壁面部３４を備えている。
【００２９】
具体的には、壁面部３４の最下段である１段目を構成する擁壁用パーツ３１は、川底２５に砕石などを平らに敷設した基礎部２８上に、擁壁ブロック１０が岸２６に沿って２列に並ぶように設置されている。また、隣り合う擁壁用パーツ２０同士は、擁壁用パーツ２０中の擁壁ブロック１０同士の間の間隔（５０ｍｍ）と同じ間隔（５０ｍｍ）になるように設置されている。従って、１段目の擁壁ブロック１０（２段目以降の擁壁ブロック１０も同じである）は、擁壁の正面からみて左右方向の両方に左右空間Ｂがあり、擁壁の正面からみて前後方向の一方に前後空間Ｃがある。そして、左右空間Ｂ及び前後空間Ｃのそれぞれの幅（擁壁ブロック同士の間隔）は５０ｍｍとなっている。
【００３０】
２段目を構成する擁壁用パーツ３２は、１段目の擁壁用パーツ３１の係合突起１６を自身の係合凹部１４に嵌合させて、１段目の擁壁用パーツ３１の上に積み重ねられている。従って、１段目の擁壁ブロックは上に、２段目の擁壁ブロック１０は下に（３段目以降の擁壁ブロック１０も同じである）、上下空間Ａがある。そして、上下空間の高さは２０ｍｍとなっている。また、２段目の擁壁用パーツ３２の一部は、１段目の隣り合う擁壁用パーツ３１同士を跨ぐようにして設けられている。
【００３１】
３段目を構成する擁壁用パーツ３３も、岸２６に沿って擁壁ブロック１０が２列に並ぶように設置されている。そして、階段状になるよう、沖側の列の擁壁ブロック１０の係合凹部１４にだけ、２段目の擁壁用パーツ３２の係合突起１６が嵌合するようにして、３段目の擁壁用パーツ３３は２段目の擁壁用パーツ３２の上に積み重ねられている。従って、互いに重ねられた、２段目の擁壁ブロック１０は上に、３段目の擁壁ブロック１０は下に（４段目以降の擁壁ブロック１０も同じである）、上下空間Ａがある。そして、上下空間Ａの高さは２０ｍｍとなっている。また、３段目の擁壁用パーツ３３の一部は、２段目の隣り合う擁壁用パーツ３２同士を跨ぐようにして設けられている。
【００３２】
このように、擁壁３０は、下段の擁壁用パーツ２０の係合突起１６を上段の擁壁用パーツ２０の係合凹部１４に嵌合させるようにして、擁壁用パーツ２０を積み重ねて壁面部３４が形成されている。また、壁面部３４と斜面２７との間に裏込め材として砕石２９（例えばＳ−４０前後の単粒度砕石）などが充填されている。
【００３３】
また、図５に示すように、擁壁３０の天端部には、擁壁用パーツ２０と斜面２７との間に充填された砕石２９上にコンクリート３５が打設されている。
【００３４】
また、図６に示すように、擁壁３０の岸２６に沿った方向の側端部には、平面視が台形状の擁壁ブロック３６が連結された擁壁用パーツ３７が用いられている。
【００３５】
このような擁壁３０によれば、次の（ａ）〜（ｇ）の効果が得られる。
（ａ）擁壁ブロック１０同士の間には、上下方向には係合突起１６の周りを囲むように高さが２０ｍｍの上下空間Ａがあり、横方向には幅が５０ｍｍの左右空間Ｂ及び前後空間Ｃがあり、左右空間Ｂ及び前後空間Ｃの上下にはそれぞれの空間と同じ幅で延設された延設空間があるので、上下空間Ａ、左右空間Ｂ及び前後空間Ｃは全て連通し、且つそれらの空間は壁面部３４の表面から裏面まで繋がっている。従って、擁壁３０は、空間が多く、水中に生息する昆虫や水生植物などの生存を確保し、それらの自然循環をもたらすことができる。そのため、設置した環境になじみすい。
（ｂ）上下空間Ａ、左右空間Ｂ及び前後空間Ｃは水の流れを阻害しないため、擁壁３０は、水が淀む季節などでもボウフラなどの繁殖が促されることがなく、また、大雨などにより増水しても砂礫や土砂などがこれらの空間に堆積しにくいことから、長年使用してもボウフラなどの繁殖が促されることがない。
（ｃ）上下空間Ａ、左右空間Ｂ及び前後空間Ｃは水生植物や水棲動物などの生息空間になり、水の淀みがないため、擁壁３０は、自然の循環が行われやすくなる。
（ｄ）隣り合う擁壁ブロック１０同士をステンレス製の異型棒鋼２１で連結した擁壁用パーツ２０を用いると共に、上下の擁壁ブロック１０同士は、中詰めコンクリートによる接続や、噛み合わせ積みを行わず、下段の係合突起１６が上段の係合凹部１４に嵌合することで接続拘束されているため、擁壁ブロック１０は互いに外力により破断を伴わない相対変位が可能になっていることから、擁壁３０は、万が一の地震などによる地盤の沈下などにも柔軟に対応できる。
（ｅ）擁壁３０は、擁壁ブロック１０が従来の環境ブロックに比べ、切れ目が多く連続した面が少ないため、景観上好ましく、また、上下空間Ａ、左右空間Ｂ及び前後空間Ｃがあることで軟らかさを表現でき、周囲に溶け込むことができる。
（ｆ）上下空間Ａ、左右空間Ｂ及び前後空間Ｃ並びに壁面部３４と斜面２７との間に充填されている砕石２９の空間により、擁壁３０は、動く水の浄化作用を果たすことができる。
（ｇ）擁壁３０は、上下空間Ａ及び左右空間Ｂがあるため、従来の環境ブロックを用いたものより太陽光がコンクリート面によって水面に反射される割合が少なくなり、魚類などに与える影響を小さくすることができる。
【００３６】
次に、本実施例の擁壁ブロック１０と５種類の擁壁用パーツ２０とを用いた法面保護の擁壁４０について、図７を用いて説明する。なお、擁壁４０の説明においては、擁壁用パーツ２０には、本実施例の５種類の擁壁用パーツ２０と本実施例の擁壁ブロック１０とが含まれ、擁壁ブロック１０には、本実施例の擁壁ブロック１０と本実施例の擁壁用パーツ２０中の擁壁ブロック１０とが含まれている。
【００３７】
図７に示すように、擁壁４０は、護岸用の擁壁３０より、傾斜が急な斜面４１（法面でもある）に設けられることから、斜面４１に沿って並べられる擁壁ブロック１０が４列である点と、斜面４１を覆うように吸出し防止材４２が設けられている点とが、護岸用の擁壁３０と異なり、その他の点については、護岸用の擁壁３０と略同じである。
【００３８】
この擁壁４０によれば、、次の（ｈ）、（ｉ）の効果が得られる。
（ｈ）擁壁４０は、擁壁用パーツ２０を階段状に積み重ねることで法面（山などの斜面）保護擁壁としての機能を持ち、空間が多く、上下空間Ａ、左右空間Ｂ及び前後空間Ｃでは植物が繁茂し、植物の自然循環が起きやすく、短い時間で自然を構成することができる。そのため、設置した環境になじみやすい。
（ｉ）擁壁４０は、上下空間Ａ、左右空間Ｂ及び前後空間Ｃにより法面背後からの大雨や湧水も処理しやすく、また、隣り合う擁壁ブロック１０同士をステンレス製の異型棒鋼２１で連結した擁壁用パーツ２０を用いると共に、上下の擁壁ブロック１０同士は、下段の係合突起１６が上段の係合凹部１４に嵌合することで接続拘束されているため、擁壁ブロック１０は互いに外力により破断を伴わない相対変位が可能になっていることから、大雨や湧水などが起きても、地盤沈下に追従して法面崩壊を防止することができる。
【００３９】
次に、本実施例の擁壁ブロック１０と５種類の擁壁用パーツ２０とを用いた擁壁６０について、図８を用いて説明する。なお、擁壁６０の説明においては、擁壁用パーツ２０には、本実施例の５種類の擁壁用パーツ２０と本実施例の擁壁ブロック１０とが含まれ、擁壁ブロック１０には、本実施例の擁壁ブロック１０と本実施例の擁壁用パーツ２０中の擁壁ブロック１０とが含まれている。
【００４０】
図８に示すように、擁壁６０は、斜面６１に沿って、砕石２９などにより形成された階段状の段丘部６２と、段丘部６２の各段毎に斜面６１に沿って擁壁ブロック１０を２列に並べて積み重ねた壁面部６３とからなっている。
【００４１】
この擁壁６０は、主にふとんかごが用いられる施工箇所に用いることができ、擁壁３０、擁壁４０で得られる効果と同じ効果を得ることができる。
【００４２】
次に、本実施例の擁壁ブロック１０と５種類の擁壁用パーツ２０とによって囲まれた中詰め空間５６を形成し、中詰め空間５６内に、中詰め材５７を充填した護岸又は法面保護の擁壁について、図９〜図１４を用いて説明する。なお、以下に述べるこれらの擁壁の説明においては、擁壁用パーツ２０には、本実施例の５種類の擁壁用パーツ２０と本実施例の擁壁ブロック１０とが含まれ、擁壁ブロック１０には、本実施例の擁壁ブロック１０と本実施例の擁壁用パーツ２０中の擁壁ブロック１０とが含まれている。また、このような擁壁によれば、擁壁３０、擁壁４０で得られる効果と同じ効果を得ることができる。
【００４３】
先ず、擁壁用パーツ２０により形成される部位（具体的には、擁壁の壁面となる壁面部５１と、壁面部５１の背後に設けられる控部５２とである。）について説明する。
図９、図１０に示すように、擁壁用パーツ２０は、各段毎に、互いに隣り合う位置が変わるよう、即ち、上段の擁壁用パーツ２０の一部は、下段の隣り合う擁壁用パーツ２０同士を跨げるよう、擁壁用パーツ２０の種類（連結されている擁壁ブロック１０の数がちがうもの）をかえたり、擁壁用パーツ２０の並びを変えたりしている。なお、図９、図１０においては、擁壁用パーツ２０の外縁を実線で示し、擁壁ブロック１０の外縁を破線で示している。また、図１０においては、最下段を１段目とし、以下、下から順に２段目、３段目としている。
【００４４】
また、図１１に示すように、控部５２同士の間隔が広く、壁面部５１を構成している擁壁用パーツ２０の切れ目、即ち、擁壁用パーツ２０同士が隣り合うところが、控部５２同士の中間にある場合には、壁面部５１の擁壁用パーツ２０同士を跨いで繋ぐように、繋ぎ用の擁壁用パーツ５８が設けられることがある。なお、図１１においても、擁壁用パーツ２０の外縁を実線で示し、擁壁ブロック１０の外縁を破線で示している。
【００４５】
そして、このように、擁壁用パーツ２０同士が隣り合うところを上に積み重ねられた擁壁用パーツ２０が跨ぐことで、隣り合う擁壁用パーツ２０同士が連結されている。また、このような擁壁によれば、中詰め材５７が露出しないことから、景観に配慮する必要がなく、割栗石を中詰め材として用いることができる。
【００４６】
次に、このように擁壁用パーツ２０とによって囲まれた中詰め空間５６に栗石又は単粒度砕石などの中詰め材５７を充填した護岸又は法面保護の擁壁について説明する。
【００４７】
このような擁壁の一つである擁壁５０は、図１２に示すように、壁面部５１と、壁面部５１の背後（法面５５側）に設けられる控部５２とが擁壁用パーツ２０で構成されている。壁面部５１は、砕石などを平らに敷設した基礎部２８上に、法面５５に沿って擁壁ブロック１０が一列に並ぶようになっており、積み重ねられた擁壁用パーツ２０が上段側になるほど、法面５５側に寄るような階段状になっている。控部５２は、互いに間隔を持って、壁面部５１の背後に複数（５つ）設けられている。そして、壁面部５１及び控部５２で囲まれた中詰め空間５６内には、中詰め材５７が充填され、中詰め材５７と法面５５との間には、中詰め材と同じものが裏込め材５９として充填されている。なお、１段目の擁壁用パーツの並びを示す平面模式図は、擁壁用パーツ２０の外縁を実線で示し、擁壁ブロック１０の外縁を破線で示している（図１３も同じである）。
【００４８】
また、このような擁壁の別の一つである擁壁６５を、図１３に示す。この擁壁６５は、階段状の壁面部５１の各段が法面５５に沿って、擁壁ブロック１０が二列に並ぶように設けられている点と、控部５２同士の間隔が広いため、繋ぎ用の擁壁用パーツ５８が用いられている点とが擁壁５０と異なり、その他の点については、擁壁５０と略同じである。
【００４９】
また、このような擁壁のさらに別の一つである擁壁６６を、図１４に示す。この擁壁６６は、勾配が急である点と、控部５２の奥行が小さい（擁壁ブロック１個分）点とが擁壁５０と異なり、その他の点については、擁壁５０と略同じである。
【実施例２】
【００５０】
次に、擁壁ブロック１０と異なる態様の擁壁ブロックの実施例について説明する。なお、ここで説明する擁壁ブロックについても、擁壁ブロック１０と同じように、二つ以上を棒鋼２１で連結して、擁壁用パーツとして用いることができる。
【００５１】
本実施例の擁壁ブロック７０は、図１５に示すように、本体部７１の上面７２のそれぞれの端から２５ｍｍの間隔をとった略中央に、上面７２から２０ｍｍ隆起し、その上面７７に溝７８が設けられた重ね部７３が形成されている点、係合突起７４の上面７５には、互いに交差する二本の溝７６が設けられ、段差のレリーフが形成されていない点が、擁壁ブロック１０と異なり、その他の点については、擁壁ブロック１０と略同じである。
【００５２】
この擁壁ブロック７０によれば、擁壁ブロック１０を用いた場合に得られる効果に加え、擁壁ブロック７０を積み重ねたときに、下に位置するものの重ね部７３の上面７７が上に位置するものの本体部７１の底面７９に当接し、支える支持面になっていることから、擁壁ブロック７０は、係合突起７４と重ね部７３とが共に支持部になっている。従って、擁壁ブロック７０の支持面の面積は、擁壁ブロック１０の支持面（係合突起１６の上面１８のみ）の面積より大きいことから、積み重ねたときの安定度を増すことができる。
【００５３】
上記に示した擁壁ブロックの他に、図１６に示すように、実施例１の擁壁ブロック１０を次のように変更した擁壁ブロックもある。
（１）係合突起９１の側面が曲面になっている擁壁ブロック９０を図１６の（ａ）、（ｂ）に示す。
（２）係合突起の上面に深さ約５ｍｍの溝９３が凹設されている擁壁ブロック９２を図１６の（ｃ）、（ｄ）に示す。
【実施例３】
【００５４】
次に、複数の擁壁ブロック１０が略直線状に並んだ列を互いに平行に二つ以上並べ、連結した擁壁用パーツについて説明する。ここで説明する擁壁用パーツには、実施例２で説明したような、擁壁ブロック１０と異なる態様の擁壁ブロックを用いることもできる。また、本実施例の擁壁用パーツによれば、擁壁用パーツ２０で得られる効果と同じ効果を得ることができ、さらに、擁壁ブロック１０を並べた列を二つ以上並べて連結していることから、擁壁ブロック１０に左右空間Ｂと前後空間Ｃとがある擁壁を容易に形成することができる。
【００５５】
本実施例の擁壁用パーツ２３は、図１７に示すように、６個の擁壁ブロック１０が一列に並んだ列を横に５つ並べ、互いに隣り合う擁壁ブロック１０同士をステンレス製の異型棒鋼２１で連結して３０個の擁壁ブロック１０が連結されたものである。隣り合う擁壁ブロック１０同士の間の間隔は５０ｍｍとなっている。
【００５６】
本実施例の擁壁用パーツ２３によれば、ブロック同士の接触がなく、従来工法に比べてブロック周囲に空間を多く持つ、法面保護擁壁や河川、湖沼などの護岸擁壁を容易に形成することができる。
【００５７】
本実施例の擁壁用パーツ４３は、図１８（ａ）に示すように、７個の擁壁ブロック１０を用い、それらを二列に並べ、隣り合う擁壁ブロック１０同士をステンレス製の異型棒鋼２１で連結したものである。そして、隣り合う擁壁ブロック１０同士の間隔は５０ｍｍになっている。さらに、それぞれの列には、擁壁ブロックが抜けている欠失箇所９９ができている。
【００５８】
本実施例の擁壁用パーツ４４は、図１８（ｂ）に示すように、５個の擁壁ブロック１０を用い、それらを二列に並べ、隣り合う擁壁ブロック１０同士をステンレス製の異型棒鋼２１で連結したものである。そして、隣り合う擁壁ブロック１０同士の間隔は５０ｍｍになっている。さらに、それぞれの列には、擁壁ブロックが抜けている欠失箇所９９ができている。
【００５９】
本実施例の擁壁用パーツ４５は、図１８（ｃ）に示すように、５個の擁壁ブロック１０を用い、それらを二列に並べ、隣り合う擁壁ブロック１０同士をステンレス製の異型棒鋼２１で連結したものである。そして、隣り合う擁壁ブロック１０同士の間隔は５０ｍｍになっている。さらに、それぞれの列には、擁壁ブロックが抜けている欠失箇所９９ができている。なお、擁壁用パーツ４４と擁壁用パーツ４５とは面対称の関係にある。
【００６０】
図１９に示すように、擁壁用パーツ４３、擁壁用パーツ４４、擁壁用パーツ４５及び二つの擁壁ブロック１０を連結した実施例１の擁壁用パーツ２０を組合わせて擁壁の壁面部を形成すると、擁壁用パーツ４３、擁壁用パーツ４４及び擁壁用パーツ４５に欠失箇所９９があることにより、擁壁を形成するときに使用する擁壁ブロック１０の数を減らすことができる。
【００６１】
本実施例の擁壁用パーツ４６は、図２０（ａ）に示すように、８個の擁壁ブロック１０を用い、それらを二列に並べ、隣り合う擁壁ブロック１０同士をステンレス製の異型棒鋼２１で連結したものである。そして、隣り合う擁壁ブロック１０同士の間隔は５０ｍｍになっている。さらに、一方の列には、擁壁ブロックが抜けている欠失箇所９９ができている。
【００６２】
本実施例の擁壁用パーツ４７は、図２０（ｂ）に示すように、７個の擁壁ブロック１０を用い、それらを二列に並べ、隣り合う擁壁ブロック１０同士をステンレス製の異型棒鋼２１で連結したものである。そして、隣り合う擁壁ブロック１０同士の間隔は５０ｍｍになっている。さらに、一方の列には、擁壁ブロックが抜けている欠失箇所９９ができている。
【００６３】
図２１、図２２に示すように、擁壁用パーツ４６及び擁壁用パーツ４７を組合わせて擁壁の壁面部を形成すると、擁壁用パーツ４６及び擁壁用パーツ４７に欠失箇所９９があることにより、擁壁を形成する時に使用する擁壁ブロック１０の数を減らすことができる。
【００６４】
本実施例の擁壁用パーツ４８は、図２３に示すように、７個の擁壁ブロック１０を用い、それらを二列に並べ、隣り合う擁壁ブロック１０同士をステンレス製の異型棒鋼２１で連結したものである。そして、隣り合う擁壁ブロック１０同士の間隔は５０ｍｍになっている。さらに、一方の列には、擁壁ブロックが抜けている欠失箇所９９ができている。
【００６５】
この擁壁用パーツ４８は、欠失箇所９９に砕石２９などを充填して用いることができる。また、図１４に示す擁壁６６などを容易に形成することができる。
【００６６】
本実施例の擁壁用パーツ４９は、図２４に示すように、１２個の擁壁ブロック１０を用い、それらを三列に並べ、隣り合う擁壁ブロック１０同士をステンレス製の異型棒鋼２１で連結したものである。そして、隣り合う擁壁ブロック１０同士の間隔は５０ｍｍになっている。さらに、真中の列には、擁壁ブロックが抜けている欠失箇所９９ができている。
【００６７】
この擁壁用パーツ４９は、擁壁ブロック１０で囲まれた擁壁用パーツ４９の中央（欠失箇所９９）に砕石２９などを充填して用いることができる。
【００６８】
本発明は、前記実施例に限定されるものではなく、発明の趣旨から逸脱しない範囲で、適宜変更して具体化することもできる。
【００６９】
次に、本発明のものではない二種類の擁壁ブロックについて説明する。
擁壁ブロック８０は、擁壁ブロック１０と同じくコンクリート製であり、図２５に示すように、本体部８１は、長辺が３５０ｍｍ、短辺が２４３ｍｍ、高さが１５０ｍｍの四角柱状をしている。そして、本体部８１の上面８２の一端から１１０ｍｍのところから他端にかけて、２０ｍｍ隆起した重ね部８３が形成されている。そして重ね部８３の上面８７の略中央には、正四角錐台状の係合突起８４が形成され、係合突起８４は、底辺が１１２ｍｍ、上辺が７５ｍｍ、上面８２からの高さが７０ｍｍとなっている。また、本体部８１の底面８５の略中央には、正四角錐台状の係合凹部８６が凹設されている。係合凹部８６は、係合突起８４が余裕をもって嵌合できるよう、擁壁ブロック１０の係合凹部１４と同じ大きさになっている。また、擁壁ブロック８０は、擁壁ブロック１０と同じように、隣り合うもの同士の間に擁壁を形成したときに植物を繁茂させ又は水棲生物を生息させるための空間をおいて棒鋼などで連結することもできる。
【００７０】
この擁壁ブロック８０によれば、重ね部８３と係合突起８４とが共に支持部となり、支持面が広いことから、積み重ねたときの安定度を増すことができる。また、平面視における係合突起８４の中心位置と係合凹部８６の中心位置とがずれていることから、積み重ねて擁壁を形成したときに壁面部に勾配（約３分）をつけることができる。また、上に位置する擁壁ブロック８０の本体部８１の底面８５と下に位置する擁壁ブロック８０の本体部８１の上面８２との間に２０ｍｍの隙間が擁壁の壁面部の表側にできている。
【００７１】
擁壁ブロック１００は、擁壁ブロック１０と同じくコンクリート製であり、壁面部の表側になる面が壁面部の裏側になる面より幅広であると共に、擁壁を形成したときに壁面部の背後に充填される砕石中に埋没して拘束される拘束部を備えている。
【００７２】
擁壁ブロック１００は、図２６に示すように、本体部１０１は、高さが１５０ｍｍの角柱状で、壁面部１１１の表側になる前面１０２の幅が２４０ｍｍ、壁面部１１１の裏側になる後面１０３の幅が１６０ｍｍであり、前面１０２と後面１０３との間が２４０ｍｍの平面視が台形状である。また、上面１０４には、略中央から後面１０３側の端まで２０ｍｍ隆起した重ね部１０５が形成されている。
後面１０３には、ステンレス製の棒鋼１０８が突設され、後面１０３から１５０ｍｍ離れた、棒鋼１０８の先端には、高さが１００ｍｍの角柱状で、後面１０３と対峙する面１０７ａの幅が１００ｍｍの平面視が台形状の埋没体１０７が設けられている。
【００７３】
そして、擁壁ブロック１００を積み重ねたときには、下に位置する擁壁ブロック１００の重ね部１０５の上面１０６が、上に位置する擁壁ブロック１００の本体部１０１の底面１０９に当接して支えることから、重ね部１０５が支持部となり、下に位置する擁壁ブロック１００の本体部１０１の上面１０４と上に位置する擁壁ブロック１００の本体部１０１の底面１０９との間に２０ｍｍの隙間ができるようになっている。
【００７４】
擁壁ブロック１００を用いた擁壁１１０について、図２７を用いて説明する。図２７（ａ）に示すように、擁壁１１０は、砕石などを平らに敷設した基礎部１１６上に設けられている。そして、壁面部１１１が斜面１１７の傾斜にあわせて上に行くほど斜面１１７側によるよう、擁壁ブロック１００が積み重ねられている。また、各擁壁ブロック１００の埋没体１０７は、壁面部１１１と斜面１１７との間に充填された砕石などの裏込め材１１５中に埋没している。
【００７５】
また、図２７（ｂ）に示す、一段目の擁壁ブロック１００の並びのように、各擁壁ブロック１００は互いに間隔をとって、壁面部１１１の表面が曲面になるように並べられている。
【００７６】
擁壁ブロック１００によれば、次の効果がえられる。
・積み重ねられた上の擁壁ブロックの底面１０９と下の擁壁ブロックの上面１０４との間に２０ｍｍの隙間を擁壁の壁面部の表側に設けることができる。
・互いに略等間隔で並べることにより、水平方向に湾曲している地形にも擁壁を形成することできる。
・埋没体１０７が裏込め材１１５中に埋没することによるインターロック作用により、固定されることから、位置ずれが起こりにくくなる。
【符号の説明】
【００７７】
１０    擁壁ブロック
１１    本体部
１２    上面
１３    底面
１４    係合凹部
１６    係合突起
２０    擁壁用パーツ
２１    棒鋼
２３    擁壁用パーツ
３０    擁壁
３１    擁壁用パーツ
３２    擁壁用パーツ
３３    擁壁用パーツ
３７    擁壁用パーツ
４０    擁壁
４３    擁壁用パーツ
４４    擁壁用パーツ
４５    擁壁用パーツ
４６    擁壁用パーツ
４７    擁壁用パーツ
４８    擁壁用パーツ
４９    擁壁用パーツ
５０    擁壁
５８    擁壁用パーツ
６５    擁壁
６６    擁壁
７０    擁壁ブロック
７１    本体部
７３    重ね部
７４    係合突起
７９    底面
９０    擁壁ブロック
９１    係合突起
９２    擁壁ブロック
Ａ    上下空間
Ｂ    左右空間
Ｃ    前後空間
【図１】
2011047190.tif 000003
【図２】
2011047190.tif 000004
【図３】
2011047190.tif 000005
【図４】
2011047190.tif 000006
【図５】
2011047190.tif 000007
【図６】
2011047190.tif 000008
【図７】
2011047190.tif 000009
【図８】
2011047190.tif 000010
【図９】
2011047190.tif 000011
【図１０】
2011047190.tif 000012
【図１１】
2011047190.tif 000013
【図１２】
2011047190.tif 000014
【図１３】
2011047190.tif 000015
【図１４】
2011047190.tif 000016
【図１５】
2011047190.tif 000017
【図１６】
2011047190.tif 000018
【図１７】
2011047190.tif 000019
【図１８】
2011047190.tif 000020
【図１９】
2011047190.tif 000021
【図２０】
2011047190.tif 000022
【図２１】
2011047190.tif 000023
【図２２】
2011047190.tif 000024
【図２３】
2011047190.tif 000025
【図２４】
2011047190.tif 000026
【図２５】
2011047190.tif 000027
【図２６】
2011047190.tif 000028
【図２７】
2011047190.tif 000029